(57)【要約】【課題】  本発明はコネクタ装置に関し、小型のプラグコネクタ及びジャックコネクタに好適な誤挿入接続操作防止構造を実現することを目的とする。【解決手段】  プラグコネクタ２１とジャックコネクタ６１とを有する。プラグコネクタ２１は、本体部２６のうちコンタクトの配列方向であるＸ１方向及びＸ２方向に延長した部位に第１、第２の穴３１、３２を有し、ここに、キー部材５０が適宜打ち込まれる。ジャックコネクタ６１は、板状突出し部７１をコンタクトの配列方向であるＸ１方向及びＸ２方向に延長した部位に、第１、第２の突起部７５，７６を有する。第１、第２の突起部７５，７６は切除可能である。第１、第２の穴３１、３２の何れかをキー部材５０で塞ぎ、第１、第２の突起部７５，７６の何れかを切除することによって、プラグコネクタ２１は特定のジャックコネクタ６１にだけ挿入接続され、キー部材５０が第１又は第２の突起部に当って、これ以外のジャックコネクタへの挿入接続は阻止される。【選択図】  図２
2006012667.tif 000002
【特許請求の範囲】
【請求項１】
複数のコンタクトがブロックに配列して保持してあるプラグコンタクト組立体と、これを覆うハウジングとよりなり、ジャックコネクタに挿入接続されるプラグコネクタにおいて、
複数設けてあるジャックコネクタのうち所定のジャックコネクタ以外のジャックコネクタに挿入接続されることを防止する誤挿入接続防止構造を、上記ブロックのうち上記コンタクトが配列してある方向に延長した部位に設けてなる構成としたことを特徴とするプラグコネクタ。
【請求項２】
請求項１に記載のプラグコネクタにおいて、
該誤挿入接続防止構造は、穴と該穴内に固定されて該穴を塞ぐキー部材とよりなる構成、或いは、切除可能に設けてある突起部よりなる構成としたことを特徴とするプラグコネクタ。
【請求項３】
請求項２に記載のプラグコネクタにおいて、
該突起部は、上記ブロックの端とリブでもってつながっている構成としたことを特徴とするプラグコネクタ。
【請求項４】
請求項２又は請求項３に記載のプラグコネクタにおいて、
上記穴又は上記突起部は、上記ブロックの中心に関して非対称に設けてある構成であることを特徴とするプラグコネクタ。
【請求項５】
請求項１乃至請求項４のうち何れか一項記載のプラグコネクタにおいて、
上記複数のコンタクトは、信号コンタクトとグランドコンタクトとが交互に並んでいる構成であり、平衡伝送方式に適用される構造であることを特徴とするプラグコネクタ。
【請求項６】
複数のコンタクトがブロックに配列して保持してあるジャックコンタクト組立体と、これを覆うハウジングとよりなり、プラグコネクタが挿入接続されるジャックコネクタにおいて、
複数設けてあるプラグコネクタのうち所定のプラグコネクタ以外のプラグコネクタが挿入接続されることを防止する誤挿入接続防止構造を、上記ブロックのうち上記コンタクトが配列してある方向に延長した部位に設けてなる構成としたことを特徴とするジャックコネクタ。
【請求項７】
請求項６に記載のジャックコネクタにおいて、
該誤挿入接続防止構造は、切除可能に設けてある突起部よりなる構成、或いは、穴と該穴内に固定されて該穴を塞ぐキー部材とよりなる構成としたことを特徴とするジャックコネクタ。
【請求項８】
請求項７に記載のジャックコネクタにおいて、
該突起部は、上記ブロックの端とリブでもってつながっている構成としたことを特徴とするジャックコネクタ。
【請求項９】
請求項７又は請求項８に記載のジャックコネクタにおいて、
該突起部又は該穴は、上記ブロックの中心に関して非対称に設けてある構成であることを特徴とするジャックコネクタ。
【請求項１０】
請求項６乃至請求項９のうち何れか一項記載のジャックコネクタにおいて、
上記複数のコンタクトは、信号コンタクトとグランドコンタクトとが交互に並んでいる構成であり、平衡伝送方式に適用される構造であることを特徴とするジャックコネクタ。
【請求項１１】
請求項１乃至請求項５のうち何れか一項記載のプラグコネクタと、
請求項６乃至請求項１０のうち何れか一項記載のジャックコネクタとよりなることを特徴とするコネクタ装置。
【発明の詳細な説明】
【技術分野】
【０００１】
本発明はプラグコネクタ、ジャックコネクタ、及びコネクタ装置に係り、特に、外形が同じ形状のジャックコネクタが複数並んで配置してあり、上記ジャックコネクタに挿入接続される外形が同じ形状のプラグコネクタが夫々ケーブルの端に設けられて複数存在しており、特定のプラグコネクタが特定のジャックコネクタに挿入接続されるようになっているコネクタ装置に適用され、特定のプラグコネクタが誤って特定のジャックコネクタ以外のジャックコネクタに挿入接続されようとした場合に、接続できないように機能する誤挿入接続防止構造に関する。
【背景技術】
【０００２】
電子機器の内部において、或いは、電子機器の間において、ケーブルでもって信号の伝送路が形成される場合があり、しかも、信号伝送路が複数形成される場合がある。この場合に、信号伝送路は、ケーブルの端のプラグコネクタをプリント基板上に実装してあるジャックコネクタに挿入接続させることによって形成される。
【０００３】
図１は誤挿入接続防止構造が必要な状況を示す。図１に示すように、プリント基板１上に同じ形状のジャックコネクタ２，３が並んで実装してあり、ケーブル１０の端のプラグコネクタ１１と、ケーブル１２の端のプラグコネクタ１３とがあり、プラグコネクタ１１、１３は同じ形状であり、ケーブル１０、プラグコネクタ１１、ジャックコネクタ２が第１の信号用であり、ケーブル１２、プラグコネクタ１３、ジャックコネクタ３が第２の信号用である場合を想定してみる。
【０００４】
プラグコネクタ１１はジャックコネクタ２に接続されるべきであり、プラグコネクタ１３はジャックコネクタ３に接続されるべきである。プラグコネクタ１１がジャックコネクタ２に接続されており、プラグコネクタ１３がジャックコネクタ３に接続されていると、第１の信号は、ケーブル１０、プラグコネクタ１１、ジャックコネクタ２を通して伝送され、第２の信号は、ケーブル１２、プラグコネクタ１３、ジャックコネクタ３を通して伝送され、電子機器は正常に動作する。
【０００５】
誤ってプラグコネクタ１１がジャックコネクタ３に接続され、プラグコネクタ１３がジャックコネクタ２に接続されると、第１の信号、第２の信号は正常に伝送されなくなって、電子機器は正常に動作しなくなってしまう。
【０００６】
ここで、プラグコネクタ１１、１３は同じ形状であり、ジャックコネクタ２，３も同じ形状であるので、誤ってプラグコネクタ１１がジャックコネクタ３に接続され、プラグコネクタ１３がジャックコネクタ２に接続されることが起こり得る。
【０００７】
そこで、プラグコネクタ１１をジャックコネクタ３に接続する誤挿入接続操作、プラグコネクタ１３をジャックコネクタ２に接続する誤挿入接続操作を防止する構造が必要となる。
【０００８】
従来は、誤挿入接続操作を防止する構造は、プラグコネクタのシールドハウジングの一部を利用して、及びジャックコネクタのシールドハウジングの一部を利用して構成してあるのが一般的である。
【特許文献１】特開平１１−１２６６５４号公報
【発明の開示】
【発明が解決しようとする課題】
【０００９】
現在、プラグコネクタ及びジャックコネクタの小型化が図られている。小型化されたプラグコネクタ及びジャックコネクタにおいては、シールドハウジングは金属板のプレス成形部品であり、厚さは薄い。よって誤挿入接続操作を防止する構造をシールドハウジングの一部を利用して構成しようとすると、機械的強度が不足したものとなってしまい、信頼性が低くなる。また、誤挿入接続操作を防止するための枠形状の別の部材を用意して、これをプラグコネクタ及びジャックコネクタに取り付けた構成とすると、外形サイズが大きくなってしまい、小型化に反してしまう。
【００１０】
本発明は、上記の点に鑑みなされたものであり、誤挿入接続操作を防止する構造を形成する部位を工夫して、小型化されたプラグコネクタ及びジャックコネクタに好適な誤挿入接続防止構造を備えたプラグコネクタ、ジャックコネクタ、及びコネクタ装置を提供することを目的とする。
【課題を解決するための手段】
【００１１】
そこで、上記課題を解決するため、本発明は、プラグコネクタを、所定のジャックコネクタ以外のジャックコネクタに挿入接続されることを防止する誤挿入接続防止構造を、複数のプラグコンタクトを配列して保持するブロックのうちプラグコンタクトが配列してある方向に延長した部位に設けてなる構成とし、
ジャックコネクタを、所定のプラグコネクタ以外のプラグコネクタが挿入接続されることを防止する誤挿入接続防止構造を、複数のコンタクトを配列して保持するブロックのうちジャックコンタクトが配列してある方向に延長した部位に設けてなる構成としたものである。
【発明の効果】
【００１２】
本発明によれば、誤挿入接続防止構造をプラグコネクタ及びジャックコネクタの外形を大きくすることなく実現することが出来、小型化を図るプラグコネクタ及びジャックコネクタに好適である。
【発明を実施するための最良の形態】
【００１３】
次に本発明の実施の形態について説明する。
【実施例】
【００１４】
［コネクタ装置２０］
図２及び図３は本発明の実施例１になるコネクタ装置２０を示す。このコネクタ装置２０は、データ毎に対をなす二本の電線を使用して伝送すべき＋信号とこの＋信号とは大きさが等しく逆向きの−信号とを同時に伝送する平衡伝送方式に適用される構造であり、且つ、伝送すべき信号の数が二つである場合に適用される構造であり、周辺機器のパソコンへの接続に使用されるＵＳＢ(Universal Serial Bus)コネクタと同程度の大きさである。
【００１５】
コネクタ装置２０は、図２（Ａ），図３（Ａ）に示すプラグコネクタ２１と、図２（Ｂ），図３（Ｂ）に示すジャックコネクタ６１とよりなる。Ｘ１−Ｘ２はコンタクトが配列してある方向、Ｚ１−Ｚ２は高さ方向、Ｙ１−Ｙ２は奥行き方向である。ジャックコネクタ６１についての方向は、ジャックコネクタ６１に接続された状態のプラグコネクタ２１に対して付してある方向に一致させている。また、本明細書では、プラグコネクタとはその構造とは関係なく接続する側のコネクタをいい、ジャックコネクタとはその構造とは関係なく接続される側のコネクタをいう。
［プラグコネクタ２１］
図２（Ａ），図３（Ａ）に示すように、プラグコネクタ２１は、コンタクト用開口部２９を有する雌型であり、プラグコンタクト組立体２２が金属板のプレス成形部品であるシールドハウジング２３によって覆われている構造であり、平衡伝送用ケーブル２４の端に設けてある。平衡伝送用ケーブル２４は、２本のペア電線を有する細いケーブルである。２１ＸはＸ１−Ｘ２方向に延在する中心線、２１ＺはＺ１−Ｚ２方向に延在する中心線である。２５は嵌合部であり、Ｙ２端側に存在しており、ジャックコネクタ６１に嵌合される部分である。
【００１６】
嵌合部２５は、Ｚ２側であってＸ１−Ｘ２方向の両側に、面取り部２５ａ，２５ｂを有しており、中心線２１Ｘに関して非対称形状である。ジャックコネクタ６１も同じ形状となっており、プラグコネクタ２１は上下反転さした姿勢ではジャックコネクタ６１には挿入接続されないようになっている。
【００１７】
プラグコンタクト組立体２２は、図４（Ａ）に示す電気絶縁性の合成樹脂製のプラグコンタクト群保持体２６に、プラグコンタクト群を構成する２対の信号コンタクト４１，４２と３つのグランドコンタクト４３，４４，４５とが、Ｘ１−Ｘ２方向上交互に並んで組み込まれており、更に、中継プリント基板４６が組み込まれている構造である。
【００１８】
プラグコンタクト群保持体２６は、Ｙ２側の本体部２７と、本体部２７の両側よりＹ１方向に延びている腕部２８，２９とを有する。
【００１９】
本体部２７は、特許請求の範囲の記載のブロックを構成し、後述するジャックコネクタ６１のシールドハウジング２３に対応する大きさであり、Ｙ２側の面２７ａの中央に、ジャックコネクタ６１の板状突出し部７１に対応する大きさの長方形のコンタクト用開口部２９が形成してある。本体部２７に、Ｘ２側から、グランドコンタクト４３、信号コンタクト４１、グランドコンタクト４４、信号コンタクト４２、グランドコンタクト４５の順で並んで保持されている。Ｘ１−Ｘ２方向がコンタクトの配列方向である。信号コンタクト及びグランドコンタクトの先端部は、Ｚ１−Ｚ２側から開口部２９内に突き出している。
【００２０】
３１は第１の穴、３２は第２の穴であり、本体部２６のＹ２側の面２６ａのうち開口部２９のＸ１−Ｘ２方向上両側の部位に、即ち、コンタクトの配列方向であるＸ１方向及びＸ２方向に延長した部位であって、中心線２１Ｚからの距離が共にＬ１であって中心線２１Ｚに関して対称である部位に、形成してある。第１、第２の穴３１，３２は、同じ形状であり、面２６ａに開口を有し、Ｙ１方向が深さ方向である。コンタクトの配列方向の延長上の部位は本体部２７の一部であり、ここに穴３１，３２を形成しても、プラグコネクタ２１の外形サイズは大きくはならない。
【００２１】
５０はキー部材であり、第１、第２の穴３１，３２に対応する形状であり、バルジ部５１を有する。キー部材５０は、必要に応じて第１、第２の穴３１，３２内にＹ２側から打ち込まれてバルジ部５２が潰されることによって固定され、第１、第２の穴３１，３２を塞ぐ。
【００２２】
なお、開口部２９と第１、第２の穴３１，３２との間にはスリット３３，３４が存在している。スリット３３，３４は後述するリブ７７，７８と嵌合する部分である。
【００２３】
中継プリント基板４６は、腕部２８，２９の内側の溝内に嵌合されて支持されており、信号コンタクト及びグランドコンタクトのＹ１端と接続してある。平衡伝送用ケーブル２４はプリント基板４６のＹ１端と接続してある。
【００２４】
上記の第１、第２の穴３１、３２及びキー部材５０が誤挿入接続防止構造を構成する。この誤挿入接続防止構造は、キー部材５０を打ち込むことによって、プラグコネクタ２１を使用するユーザ側で構築することが可能である。
［ジャックコネクタ６１］
図２（Ｂ），図３（Ｂ）に示すように、ジャックコネクタ６１は、板状突出し部７１を有する雄型であり且つライトアングルタイプであり、ジャックコンタクト組立体６２が金属板のプレス成形部品であるシールドハウジング６３によって覆われている構造である。６１ＸはＸ１−Ｘ２方向に延在する中心線、６１ＺはＺ１−Ｚ２方向に延在する中心線である。６５は空間である嵌合凹部であり、プラグコネクタ２１が嵌合される部分であり、Ｚ２側であってＸ１−Ｘ２方向の両側に面取り部６５ａ，６５ｂを有し、プラグコネクタ２１の嵌合部２５に対応した形状である。
【００２５】
ジャックコンタクト組立体６２は、図４（Ｂ）に示す電気絶縁性の合成樹脂製のジャックコンタクト群保持体６６に、ジャックコンタクト群を構成する２対の信号コンタクト８１，８２と３つのグランドコンタクト８３，８４，８５とが、Ｘ１−Ｘ２方向上交互に並んで組み込まれている構造である。
【００２６】
プラグコンタクト群保持体６６は、Ｙ１側の本体部６７と、本体部６７の両側よりＹ２方向に延びている腕部６８，６９とを有する。本体部６７は、腕部６８，６９間の梁部７０と、梁部７０からＹ１側に板状に突き出している板状突出し部７１とよりなる。板状突出し部７１が特許請求の範囲の記載のブロックを構成する。腕部６８，６９には実装位置決めのためのピン７２−１〜７２−４がＺ２方向に突き出て設けてある。
【００２７】
本体部６７に、Ｘ２側から、グランドコンタクト８３、信号コンタクト８１、グランドコンタクト８４、信号コンタクト８２、グランドコンタクト８５の順で並んで保持されている。Ｘ１−Ｘ２方向がコンタクトの配列方向である。信号コンタクト及びグランドコンタクトの先端側の部分は、板状突出し部７１の溝に嵌合してＺ１面及びＺ２面に露出している。
【００２８】
７５、７６は第１、第２の突起部であり、板状突出し部７１のＸ１−Ｘ２方向上両側の位置に、即ち、板状突出し部７１をコンタクトの配列方向であるＸ１方向及びＸ２方向に延長した部位であって、中心線６１Ｚからの距離が共に、上記第１、第２の穴３１，３２の距離と同じＬ１であって中心線６１Ｚに関して対称である部位に、Ｙ１−Ｙ２方向に延在して形成してある。突起部７５、７６は、第１、第２の穴３１，３２に嵌合できる大きさであり、ジャックコネクタ６１のサイズに合わせて矩形断面の面積が小さい形状であり、同じ形状である。コンタクトの配列方向の延長上の部位は、元々は空間である部分であり、突起部７５、７６はサイズが小さくて且つ元々は空間である嵌合凹部６５である部分に配置してあり、突起部７５、７６を形成しても、ジャックコネクタ６１の外形サイズは大きくはならない。
【００２９】
また、突起部７５、７６はＹ２方向の外力に対しては十分な強度を有すると共に工具を使用して切除することが可能であるように形成してある。即ち、突起部７５、７６は、梁部７０から突き出して形成されていると共に、Ｙ１−Ｙ２方向の全長に亘って板状突出し部７１の端とリブ７７，７８でもって連結してある。よって、突起部７５、７６はその断面積が小さい形状であるけれども、その先端にＹ２方向に強い力が作用しても破壊しない十分な強度を有している。なお、工具を使用して突起部７５、７６をその根元の個所及びリブ７７，７８の個所で切断することによって、ジャックコンタクト群保持体６６から切除することが可能である。
【００３０】
上記の第１、第２の突起部７５，７６が誤挿入接続防止構造を構成する。この誤挿入接続防止構造は、第１、第２の突起部７５，７６のうちの一方を切除することによって、ジャックコネクタ６１を使用するユーザ側で構築することが可能である。
【００３１】
なお、図２（Ａ）のプラグコネクタ２１は、嵌合部２５がジャックコネクタ６１の嵌合凹部６５内に挿入され、ジャックコネクタ６１のコンタクトが配列してある板状突出し部７１が開口部２９内に相対的に嵌合し、信号コンタクト４１，４２、グランドコンタクト４３，４４，４５が夫々信号コンタクト８１，８２、グランドコンタクト８３，８４，８５に接続されて、ジャックコネクタ６１と接続される。
［コネクタ装置２０の使用状態］
プラグコネクタ２１は、キー部材５０が第１、第２の穴３１，３２に打ち込まれているか否かによって、図５（Ａ）乃至（Ｄ）に示すように、四つの異なった態様となり得る。第１の態様（図５（Ａ））：キー部材５０が第１、第２の穴３１，３２のいずれにも打ち込まれていない。第２の態様（図５（Ｂ））：キー部材５０が第１の穴３１打ち込まれている。第３の態様（図５（Ｃ））：キー部材５０が第２の穴３２打ち込まれている。第４の態様（図５（Ｄ））：キー部材５０が第１、第２の穴３１，３２のいずれにも打ち込まれている。
【００３２】
ジャックコネクタ６１は、突起部７５、７６が切除されているか否かによって、図５（Ｅ）乃至（Ｈ）に示すように、四つの異なった態様となり得る。第１の態様（図５（Ｅ））：突起部７５、７６が共に切除されている。第２の態様（図５（Ｆ））：突起部７５が切除されており、突起部７６が残っている。第３の態様（図５（Ｇ））：突起部７６が切除されており、突起部７５が残っている。第４の態様（図５（Ｈ））：突起部７５、７６が共に切除されていない。
【００３３】
図５中、矢印はプラグコネクタ２１がジャックコネクタ６１に接続可能であることを示し、×印はキー部材５０が突起部７５、７６に当って接続が拒否されること示す。
【００３４】
突起部７５、７６を適宜切除して、図５（Ｆ）に示すジャックコネクタ６１−１と、図５（Ｇ）に示すジャックコネクタ６１−２とを用意し、図６に示すように、プリント基板１上の第１信号の経路の端にジャックコネクタ６１−１を実装し、第２信号の経路の端にジャックコネクタ６１−２を実装する。
【００３５】
また、図６に示すように、第１信号が伝送されるケーブル２４−１の端のプラグコネクタ２１については、キー部材５０を第１の穴３１に打ち込んで、図５（Ｂ）に示すプラグコネクタ２１−１とする。同じく図６に示すように、第２信号が伝送されるケーブル２４−２の端のプラグコネクタ２１については、キー部材５０を第２の穴３２に打ち込んで、図５（Ｃ）に示すプラグコネクタ２１−２とする。
【００３６】
プラグコネクタ２１−１をジャックコネクタ６１−１に挿入接続しようとすると、図７に示すように、キー部材５０は妨害されずジャックコネクタ６１−１内に侵入し、第２の突起部７６が第２の穴３２内に相対的に嵌合して、プラグコネクタ２１−１はジャックコネクタ６１−１に正常に接続される。
【００３７】
なお、誤ってプラグコネクタ２１−１をジャックコネクタ６１−２に挿入接続しようとすると、図８に示すように、キー部材５０が第１の突起部７５に当り、それ以上の挿入は制限され、プラグコネクタ２１−１をジャックコネクタ６１−２に接続する誤挿入接続は防止される。プラグコネクタ２１−１を強く押し込んでも第１の突起部７５は破壊せず、誤挿入接続は確実に防止される。
【００３８】
プラグコネクタ２１−２をジャックコネクタ６１−２に挿入接続しようとすると、図７に示すように、キー部材５０は妨害されずジャックコネクタ６０−２内に侵入し、第１の突起部７５が第１の穴３１内に相対的に嵌合して、プラグコネクタ２１−２はジャックコネクタ６０−２に正常に接続される。
【００３９】
また、誤ってプラグコネクタ２１−２をジャックコネクタ６１−１に挿入接続しようとすると、図８に示すように、キー部材５０が第２の突起部７６に当り、それ以上の挿入は制限され、プラグコネクタ２１−２をジャックコネクタ６０−１に接続する誤挿入接続は防止される。プラグコネクタ２１−２を強く押し込んでも第２の突起部７６は破壊せず、誤挿入接続は確実に防止される。
【００４０】
よって、図７に示すように、プラグコネクタ２１−１は必ずジャックコネクタ６１−１に接続され、プラグコネクタ２１−２は必ずジャックコネクタ６１−２に接続された状態となる。これによって、第１の信号は、ケーブル２４−１、プラグコネクタ２１−１、ジャックコネクタ６０−１を通して伝送され、第２の信号は、ケーブル２４−２、プラグコネクタ２１−２、ジャックコネクタ６０−２を通して伝送され、電子機器は正常に動作する。
［別の実施例］
次に本発明の別の実施例になるコネクタ装置について説明する。
【００４１】
以下のコネクタ装置は穴及び突起部がＺ方向の中心線に関して左右非対称である構成である。
【００４２】
図９は本発明の実施例２になるコネクタ装置２０Ａを示す。コネクタ装置２０Ａは、同図（Ａ）に示すプラグコネクタ２１Ａと同図（Ｂ）に示すジャックコネクタ６１Ａとよりなり、中心線から穴及び突起部までの距離が相違して左右非対称とされている。
【００４３】
プラグコネクタ２１Ａは、中心線２１Ｚから第１の穴３１Ａまでの距離がＬ１であり、中心線２１Ｚから第２の穴３２Ａまでの距離がＬ２であり、Ｌ１≠Ｌ２であり、中心線２１Ｚからの距離が相違している。
【００４４】
ジャックコネクタ６１Ａは、プラグコネクタ２１Ａに対応して、中心線６１Ｚから第１の突起部７５Ａまでの距離がＬ１であり、中心線６１Ｚから第２の突起部７６Ａまでの距離がＬ２である。
【００４５】
図１０は本発明の実施例３になるコネクタ装置２０Ｂを示す。コネクタ装置２０Ｂは、同図（Ａ）に示すプラグコネクタ２１Ｂと同図（Ｂ）に示すジャックコネクタ６１Ｂとよりなり、穴及び突起部の大きさが相違して左右非対称とされている。
【００４６】
プラグコネクタ２１Ｂは、第２の穴３２Ｂが第１の穴３１Ｂよりも大きい構成である。ジャックコネクタ６１Ｂは、プラグコネクタ２１Ｂに対応して、第２の突起部３２Ｂが第１の突起部３１Ｂよりも大きい構成である。
【００４７】
図１１は本発明の実施例４になるコネクタ装置２０Ｃを示す。コネクタ装置２０Ｃは、同図（Ａ）に示すプラグコネクタ２１Ｃと同図（Ｂ）に示すジャックコネクタ６１Ｃとよりなり、穴及び突起部の数が相違して左右非対称とされている。
【００４８】
プラグコネクタ２１Ｃは、第１の穴３１Ｃが一つであるのに対して、第１の穴３２Ｃは二つである構成である。ジャックコネクタ６１Ｃは、プラグコネクタ２１Ｃに対応して、第１の突起部３１Ｃが一つであるのに対して、第１の突起部３２Ｃが二つである構成である。
【００４９】
図９、図１０、図１１のコネクタ装置２０Ａ、２０Ｂ、２０Ｃは、図５に示すと同様に、プラグコネクタ２１Ａ、２１Ｂ、２１Ｃの片側の穴にキー部材５０を打ち込んで埋め、ジャックコネクタ６１Ａ、６１Ｂ、６１Ｃの片側の突起部を切除して使用され、図８に示すと同様に、誤挿入接続が防止され、プラグコネクタ６１Ａ、６１Ｂ、６１Ｃは二つ並んでいるジャックコネクタのうちの所定のプラグコネクタにだけ挿入接続される。
【００５０】
また、穴及び突起部が左右非対称であることによって、プラグコネクタ２１Ａ、２１Ｂ、２１Ｃが上下反転した姿勢で誤って挿入接続されることも防止される。
［変形例］
なお、図２（Ｂ）、図９（Ｂ）、図１０（Ｂ）、図１１（Ｂ）に示す雄型であるジャックコネクタ６１、６１Ａ、６１Ｂ、６１ＣのＹ２側を変更して、ケーブルの端に設けて、プラグコネクタとし、図２（Ａ）、図９（Ａ）、図１０（Ａ）、図１１（Ａ）に示す雌型であるプラグコネクタ２１、２１Ａ、２１Ｂ、２１ＣのＹ１側を変更して、プリント基板に実装できるようにして、ジャックコネクタとしてもよい。この場合には、プラグコネクタの誤挿入接続防止構造は、第１、第２の突起部が切除可能に設けられた構成となり、ジャックコネクタの誤挿入接続防止構造は、第１、第２の穴を有し、キー部材が打ち込まれた構成となる。
【００５１】
また、上記の誤挿入接続防止構造は、平衡伝送路ではない通常の伝送路に使用される通常のプラグコネクタ及びジャックコネクタにも適用が可能である。
【図面の簡単な説明】
【００５２】
【図１】誤挿入接続防止構造が必要な状況を示す図である。
【図２】本発明の実施例１になるコネクタ装置をプラグコネクタとジャックコネクタとを対向させて示す斜視図である。
【図３】図１のコネクタ装置を構成するプラグコネクタとジャックコネクタの正面図である。
【図４】プラグコンタクト組立体とジャックコンタクト組立体とを対向させて且つ分解して示す斜視図である。
【図５】プラグコネクタ及びジャックコネクタの誤挿入接続防止構造の態様を示す図である。
【図６】コネクタ装置の使用状態を示す図である。
【図７】プラグコネクタがジャックコネクタに正常に接続された状態を示す図である。
【図８】プラグコネクタのジャックコネクタへの誤挿入接続が防止された状態を示す図である。
【図９】本発明の実施例２になるコネクタ装置をプラグコネクタとジャックコネクタとを対向させて示す斜視図である。
【図１０】本発明の実施例３になるコネクタ装置をプラグコネクタとジャックコネクタとを対向させて示す斜視図である。
【図１１】本発明の実施例４になるコネクタ装置をプラグコネクタとジャックコネクタとを対向させて示す斜視図である。
【符号の説明】
【００５３】
２０、２０Ａ，２０Ｂ，２０Ｃ  コネクタ装置
２１、２１Ａ，２１Ｂ，２１Ｃ  プラグコネクタ
２２  プラグコンタクト組立体
２３  シールドハウジング
２４  平衡伝送用ケーブル
２５  嵌合部
２６  プラグコンタクト群保持体
２７  本体部
２９  コンタクト用開口部
３１、３１Ａ，３１Ｂ、３１Ｃ  第１の穴
３２、３２Ａ，３２Ｂ、３２Ｃ  第２の穴
３３，３４  スリット
４１，４２、８１，８２  信号コンタクト
４３，４４，４５、８３，８４，８５  グランドコンタクト
５０  キー部材
６１、６１Ａ，６１Ｂ、６１Ｃ  ジャックコネクタ
６２  ジャックコンタクト組立体
６３  シールドハウジング
６５  嵌合凹部
６６  ジャックコンタクト群保持体
７１  板状突出し部
７５、７５Ａ，７５Ｂ、７５Ｃ  第１の突起部
７６、７６Ａ，７６Ｂ、７６Ｃ  第２の突起部
７７，７８  リブ
【図１】
2006012667.tif 000003
【図２】
2006012667.tif 000004
【図３】
2006012667.tif 000005
【図４】
2006012667.tif 000006
【図５】
2006012667.tif 000007
【図６】
2006012667.tif 000008
【図７】
2006012667.tif 000009
【図８】
2006012667.tif 000010
【図９】
2006012667.tif 000011
【図１０】
2006012667.tif 000012
【図１１】
2006012667.tif 000013